(57)【要約】【課題】セグメント単位に複数種類の放送を同時に伝送するデジタル放送を受信し、前記複数種類の放送の内で１つ又は複数の放送を選択的に受信することが出来る上、セグメント毎の利得調整が可能なデジタル放送受信装置を提供する。【解決手段】複数のセグメントを選択的に受信する受信部２と、該受信部２に所定のセグメントの受信を指示する受信指示手段と、セグメント毎に利得の調整を行うＡＧＣ部とを備え、受信部２が受信指示手段の指示に応じて複数種類の放送に係る複数のセグメントを選択的に受信し、ＡＧＣ部が受信したセグメントの利得の調整をセグメント毎に行う。【選択図】図１
2008067210.tif 000002
【特許請求の範囲】
【請求項１】
１つのチャンネルの帯域を複数のセグメントに分割し、セグメント単位に変調方式、符号化率等の伝送特性の異なる複数種類の放送を同時に伝送するデジタル放送波を受信するデジタル放送受信装置において、
複数のセグメントを選択的に受信する受信部と、
該受信部に所定のセグメントの受信を指示する受信指示手段と
を備えることを特徴とするデジタル放送受信装置。
【請求項２】
セグメント毎に利得の調整を行う利得調整部と、
セグメント毎のエラーを検出するエラー検出部と、
該エラー検出部の検出結果に基づき、前記利得調整部に利得の調整を指示する利得調整指示手段と
を備えることを特徴とする請求項１に記載のデジタル放送受信装置。
【請求項３】
前記受信部が受信したセグメントに係る複数種類の放送の内で出力すべき放送の切換を行う切換部と、
前記エラー検出部の検出結果に基づき、前記切換部に別種類の放送へ切換を指示する切換指示手段と
を備えることを特徴とする請求項２に記載のデジタル放送受信装置。
【請求項４】
前記エラー検出部の検出結果に基づき、前記受信指示手段が前記受信部に別のチャンネルの受信を指示するように構成してあることを特徴とする請求項２又は請求項３に記載のデジタル放送受信装置。
【発明の詳細な説明】
【技術分野】
【０００１】
本発明は、デジタル放送を受信するデジタル放送受信装置に関する。
【背景技術】
【０００２】
地上デジタルテレビジョン放送は２００３年１２月より一部地域で開始され、２０１１年７月からは現行のアナログ放送を停止して日本全国で放送を開始する見込みである。
【０００３】
伝送方式としてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｓｉｎｇ：直交周波数分割多重）方式を採用している。ＯＦＤＭ方式は、多数の搬送波の個々の搬送波に少しずつ情報を乗せ、多数の搬送波全体では多量の情報を送る方式である。
【０００４】
変調方式としてはデータの伝送量が少ない代わりに所謂Ｃ／Ｎ（搬送波／ノイズ）比が低いＱＰＳＫ（Ｑｕａｄｒａｔｕｒｅ  Ｐｈａｓｅ  Ｓｈｉｆｔ  Ｋｅｙｉｎｇ）及び１６ＱＡＭ（Ｑｕａｄｒａｔｕｒｅ  Ａｍｐｌｉｔｕｄｅ  Ｍｏｄｕｌａｔｉｏｎ）並びに、データの伝送量が多い代わりに所謂Ｃ／Ｎ（搬送波／ノイズ）比が高い６４ＱＡＭが採用される。
【０００５】
また、ＯＦＤＭ方式では、地上デジタル放送波の帯域幅を（６ＭＨｚ）を１４個のセグメントに等分し、１４個のセグメントの内１個を隣接チャンネルとのガード帯域として使用し、１３個のセグメントを放送信号に使用する。さらに、１３個のセグメントは最大３種類のセグメント群（階層とも言う）にさらに分類し、各階層単位で異なった変調方式を使用して送信することが可能である。
【０００６】
図７は地上デジタル放送の伝送スペクトラムの一例を示す例示図である。高画質であり、一般家庭用の据え置き形テレビのような固定受信向けの６４ＱＡＭ部分及び、低画質であり車両搭載用テレビのような移動受信向けのＱＰＳＫ（又は１６ＱＡＭ）部分（図中ハッチングで表示）並びに携帯受信向けのＱＰＳＫ（又は１６ＱＡＭ）部分（図中黒色で表示）が階層合成され、実際には点線で示すように割り振って伝送される。
【０００７】
特に１３セグメントの中心の１個のセグメントは、あらかじめ携帯電話機やモバイル機器向けの放送用として用意されている。その１セグメントを利用して携帯電話機やモバイル機器向けに地上デジタル放送を提供するのが「ワンセグ放送」である。当初は「１セグメント放送」と呼ばれていたようだが、地上デジタル放送推進協会によって２００５年９月に「ワンセグ」という名称が正式に決定された。
【０００８】
このように固定受信向けの信号及び移動受信向け（又は携帯受信向け）の信号が同時に送信されることから、特許文献１では、受信品質が良好なときには固定受信向けの高画質のコンテンツ信号を出力し、受信品質が不十分なときには移動受信向けの低画質のコンテンツ信号を出力する受信装置について提案している。
【０００９】
一方、このようなＯＦＤＭ方式では、例えばハイビジョン放送は１３セグメントのうちの１２セグメントも必要となり、通常の画質の放送では４個のセグメントを利用するだけで放送できるので、１の帯域で３つの放送（４セグメント×３＝１２セグメント）を同時に放送することが可能となる。
【００１０】
また、地上デジタル音声放送では、デジタルテレビジョン放送と同じ構造のセグメントを１個使用する１セグメント方式（低音質）と３個使用する３セグメント方式（高音質）の２つの放送形態が予定されている。
【００１１】
このように地上デジタル放送はセグメント単位で行われていることから、信号の受信及び調整においてもセグメント単位での操作が要求される。しかしながら、上述の特許文献１の受信装置ではこの要求に対応することが出来ない。
【特許文献１】特開２００５−２２３５４９号公報
【発明の開示】
【発明が解決しようとする課題】
【００１２】
本発明は、斯かる事情に鑑みてなされたものであり、その目的はとするところは、セグメント単位に複数種類の放送を同時に伝送するデジタル放送の受信の際に複数のセグメントを選択的に受信する受信部と、該受信部に所定のセグメントの受信を指示する受信指示手段とを備えることにより、前記複数種類の放送の内で１つ又は複数の放送を選択的に受信することが出来るデジタル放送受信装置を提供することにある。
【００１３】
また、本発明の他の目的は、セグメント毎に利得の調整を行う利得調整部と、セグメント毎のエラーを検出するエラー検出部とを備え、検出結果に基づき、前記利得調整部の利得の調整を行うことにより、セグメント毎に利得の調整を行い、出力すべき放送の画質を改善させることが出来るデジタル放送受信装置を提供することにある。
【００１４】
また、本発明の他の目的は、受信したセグメントに係る複数種類の放送の中で出力すべき放送の切換を行う切換部を備え、前記エラー検出部の検出結果に基づき、別種類の放送へ切換えることにより、受信状態の変化に対応して相対的にエラーの少ないセグメントの放送を出力することが出来るデジタル放送受信装置を提供することにある。
【００１５】
また、本発明の他の目的は、前記エラー検出部の検出結果に基づき、前記受信指示手段が前記受信部に別のチャンネルの受信を指示するように構成することにより、受信状態悪化の場合、別のチャンネルを選択することが出来るデジタル放送受信装置を提供することにある。
【課題を解決するための手段】
【００１６】
本発明に係るデジタル放送受信装置は、１つのチャンネルの帯域を複数のセグメントに分割し、セグメント単位に変調方式、符号化率等の伝送特性の異なる複数種類の放送を同時に伝送するデジタル放送波を受信するデジタル放送受信装置において、複数のセグメントを選択的に受信する受信部と、該受信部に所定のセグメントの受信を指示する受信指示手段とを備えることを特徴とする。
【００１７】
本発明にあっては、前記受信指示手段の指示により、受信部は１つ及び／又は複数のセグメントを選択的に受信する。従って、受信するセグメントを選択することにより、異なる種類の１つ及び／又は複数の放送が受信され得る。
【００１８】
本発明に係るデジタル放送受信装置は、セグメント毎に利得の調整を行う利得調整部と、セグメント毎のエラーを検出するエラー検出部と、該エラー検出部の検出結果に基づき、前記利得調整部に利得の調整を指示する利得調整指示手段とを備えることを特徴とする。
【００１９】
本発明にあっては、エラー検出部がセグメント毎のエラーを検出する。利得調整指示手段は、エラー検出部の検出結果に基づき、利得調整部にセグメント毎の利得の調整を指示し、画質の改善を行う。
【００２０】
本発明に係るデジタル放送受信装置は、前記受信部が受信したセグメントに係る複数種類の放送の内で出力すべき放送の切換を行う切換部と、前記エラー検出部の検出結果に基づき、前記切換部に別種類の放送へ切換を指示する切換指示手段とを備えることを特徴とする。
【００２１】
本発明にあっては、前記切換指示手段は前記エラー検出部の検出結果に基づき、受信した複数種類の放送の内、エラーの少ないセグメントに係る別種の放送への切換を切換部に指示する。切換指示手段の指示に応じ、切換部は出力すべき放送の切換を行う。
【００２２】
本発明に係るデジタル放送受信装置は、前記エラー検出部の検出結果に基づき、前記受信指示手段が前記受信部に別のチャンネルの受信を指示するように構成してあることを特徴とする。
【００２３】
本発明にあっては、前記受信指示手段は前記エラー検出部の検出結果に基づき、検出結果が所定値以上である場合、前記受信部に別のチャンネルに係るセグメントの受信を指示する。前記受信部は前記受信指示手段の指示に応じて受信を行う。
【発明の効果】
【００２４】
本発明によれば、セグメント単位に複数種類の放送を同時に伝送するデジタル放送の受信の際に複数のセグメントを選択的に受信する受信部と、該受信部に所定のセグメントの受信を指示する受信指示手段とを備えているので、前記複数種類の放送の内で１つ又は複数の放送を選択的に受信することが出来る。
【００２５】
本発明によれば、前記エラー検出部の検出結果に基づき、前記利得調整部がセグメント毎に利得の調整を行い、出力すべき放送の画質を改善することが出来る。
【００２６】
本発明によれば、前記エラー検出部の検出結果に基づき、前記切換部が別種類の放送へ切換を行うので、受信状態の変化に対応して相対的にエラーの少ないセグメントの放送を出力することが出来る。
【００２７】
本発明によれば、前記受信指示手段が前記エラー検出部の検出結果に基づいて前記受信部に別のチャンネルに係るセグメントの受信を指示するように構成しているので、受信中のチャンネルの受信状態悪化に対応することが出来る。
【発明を実施するための最良の形態】
【００２８】
以下、本発明に係るデジタル放送受信装置として携帯用テレビを例とし、その実施の形態を示す図面に基づいて詳述する。
【００２９】
図１は本実施の形態に係る携帯用テレビの構成を示すブロック図である。
【００３０】
本発明に係る携帯用テレビは、アンテナ１からのデジタル放送に係るＯＦＤＭデータを受信し、セグメント毎にフィルタリングする受信部２と、受信部２からのＩＦ（中間周波数）データをセグメント毎に復調するＯＦＤＭ復調部３と、ＯＦＤＭ復調部３からのＴＳデータのＢＥＲ（ビットエラーレート）を測定するエラー検出部４と、固定受信向けＴＳデータ及び移動受信向けＴＳデータを分離する分離部５とを備える。
【００３１】
また、分離部５から分離されたＴＳデータをビデオストリム、オーディオストリム等に分離するＤｅＭＵＸ（デマルチプレクサ）部７ａ，７ｂと、ＤｅＭＵＸ部７ａ，７ｂからのビデオストリム及びオーディオストリムを一時的に保持するバッファ部８ａ，８ｂと、バッファ部８ａ，８ｂからのビデオストリム及びオーディオストリムを復調するデコーダ部９ａ，９ｂと、固定受信向け放送データ及び移動受信向け放送データを切換える切換部１０と、切換部１０からの放送データを出力する出力部１１と、計時するタイマー１２と、制御部６とからなる。
【００３２】
エラー検出部４は、ＯＦＤＭ復調部３からのＴＳデータのＢＥＲを検出するが、該ＢＥＲは例えば後述のＲＳ符号の復号前のデータと、ＲＳ符号の復号後のデータを再符号化したデータとを比較することにより検出する。
【００３３】
分離部５は、ＴＳデータをＴＳパケット単位で固定受信向けＴＳデータ及び移動受信向けＴＳデータに分離する。移動受信向けＴＳデータに含まれているＴＳパケットは、そのＩＤつまりＰＩＤ（パケット識別子）が固定値となっており同一画像、同一音声は夫々等しいＰＩＤを有する。従って、分離部５では、ＴＳパケットのＰＩＤに基づき、ＴＳパケット単位で固定受信向けＴＳデータ及び移動受信向けＴＳデータに分離することが出来る。
【００３４】
ＤｅＭＵＸ部７ａ，７ｂはＴＳデータをビデオストリム、オーディオストリム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。またＰＳＩ／ＳＩに含まれている放送情報を制御部６に送出する。ＰＳＩ／ＳＩは、ＴＳパケットに含まれている情報が何かを識別するための情報である。
【００３５】
バッファ部８ａ，８ｂはＤｅＭＵＸ部７ａ，７ｂからのビデオストリム及びオーディオストリムを一時的に保持する。又、ＣＰＵの指示に基づき、前記ビデオストリム及びオーディオストリムを所定のタイミングでデコーダ部９ａ，９ｂに送出する。
【００３６】
切換部１０は、エラー検出部４が測定したＢＥＲが所定値Ａ以上である場合、制御部６の指示に応じ、固定受信向け放送データから移動受信向け放送データへの切換を行う。
【００３７】
制御部６はＣＰＵと、ＲＡＭと、ＲＯＭとからなる。ＣＰＵは受信部２に所定のセグメントの受信を指示し、前記ＰＳＩ／ＳＩに基づき、バッファ部８ａ，８ｂにビデオストリム及びオーディオストリムの出力を指示し、エラー検出部４の検出結果に基づいて切換部１０に固定受信向け放送データ又は移動受信向け放送データへの切換を指示する。ＲＯＭには処理プログラムが予め記憶されている。ＲＡＭにはプログラムの実行時に発生する一時的なデータ、例えばエラー検出部４が測定したＢＥＲを記憶する。
【００３８】
図２は受信部２の構成を示すブロック図である。受信部２は、高域がパスバンドであって低域がストップバンドであるＨＰＦ（ハイパスフィルタ）部２１と、低域がパスバンドであって高域がストップバンドであるＬＰＦ（ローパスフィルタ）部２２と、所定のバンドのみをパスバンドとするＢＰＦ（バンドパスフィルタ）部２３と、出力する信号のレベルが一定であるように、利得を制御するＡＧＣ（Ａｕｔｏ  Ｇａｉｎ  Ｃｏｎｔｒｏｌ）部２４とを備える。
【００３９】
地上デジタル放送は、ＵＨＦ帯（４７０ＭＨｚから７７０ＭＨｚ）を使用する。従ってＨＰＦ部２１は、アンテナ１から送出されたＲＦデータの４７０ＭＨｚ以下のデータ成分を除去する。
【００４０】
ＬＰＦ部２２は、アンテナ１から送出されたＲＦデータの７７０ＭＨｚ以上のデータ成分を除去する。
【００４１】
ＢＰＦ部２３は、例えばＳＡＷ（Ｓｕｒｆａｃｅ  Ａｃｏｕｓｔｉｃ  Ｗａｖｅ）フィルタからなり、該ＳＡＷフィルタは圧電性結晶の表面を伝搬する弾性波を介して、特定の周波数のデータのみを通すことが出来る。従って、１セグメント帯域幅のみを抽出することが可能である。ＢＰＦ部２３は複数（例えば１３個）のＳＡＷフィルタを備えており、１つのチャンネルをセグメント別に受信することが出来る。
【００４２】
ＡＧＣ部２４（利得調整部）は、ＢＰＦ部２３から送出されたセグメント別のＲＦデータを、受信レベル変動に応じて一定の出力が得られるようにセグメント別に利得を調整する回路である。その後ＭＩＸ（図示せず）によりＩＦ周波数帯域（ＩＦデータ）に変換される。該ＩＦデータはＯＦＤＭ復調部３に送出される。
【００４３】
図３はＯＦＤＭ復調部３の構成を示すブロック図である。
【００４４】
ＯＦＤＭ復調部３は、Ａ／Ｄ変換部３１と、同期制御部３２と、ＦＦＴ部３３と、ＴＭＣＣ復号及び各種復調部３４と、デインタリーブ部３５と、誤り訂正部３６とからなり、受信部２からのセグメント別のＩＦデータを夫々セグメント別に処理する。
【００４５】
Ａ／Ｄ変換部３１は、受信部２から送出された各ＩＦデータをアナログデータからデジタルデータに変換する。
【００４６】
同期制御部３２は、シンボル（データの構成単位）同期、クロック同期及びＡＦＴ（Ａｕｔｏ  Ｆｒｅｑｕｅｎｃｙ  Ｔｕｎｉｎｇ：自動周波数同調）処理を行う。
【００４７】
ＦＦＴ部３３は、同期制御部３２からのデータのＦＦＴ処理（高速フーリエ変換）を行う。この処理によって時間軸データは周波数軸に変換される。
【００４８】
ＴＭＣＣ復号及び各種復調部３４は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データの復号が行われる。ＴＭＣＣデータの復号には、各種伝送パラメータが含まれている。また、地上デジタル音声放送においては、受信したデータが１セグメント方式であるか３セグメント方式であるかを識別するための情報が含まれている。また、ＴＭＣＣ復号及び各種復調部３４は前記各種伝送パラメータに基づき、ＱＰＳＫ、１６ＱＡＭ及び６４ＱＡＭの各変調方式の復調を行う。
【００４９】
デインタリーブ部３５は、電波の反射などによる特定周波数のデータの欠落を補うために行われた周波数インタリーブ、対フェージングなどのために施された時間インタリーブ等を元に戻す処理を行う。
【００５０】
誤り訂正部３６は、誤り訂正符号、例えばＲＳ（Ｒｅａｄ  Ｓｏｌｏｍｏｎ）符号の復号を行う。
【００５１】
図４は本実施の形態に係る携帯用テレビが受信する一のチャンネル（例えば３チャンネル）のセグメント割り当ての一例を示す例示図である。中心の０番セグメント（図中ハッチングで表示）は、携帯受信用（移動受信用）に割り当てられており、該０番セグメントを除く１番から１２番までのセグメントは固定受信用セグメントに割り当てられている。前記０番セグメントを中心に一側は奇数のセグメントが割り当てられており、他方は偶数のセグメントが割り当てられている。さらに、この３チャンネルの隣接チャンネルは、前記一側が４チャンネルであり、前記他方が２チャンネルである。
【００５２】
図５及び図６は本実施の形態に係る携帯用テレビのＣＰＵの制御手順を示すフローチャートである。
【００５３】
ＣＰＵは受信部２に１３個のセグメントの受信を指示する（Ｓ１０１）。ＣＰＵの指示に応じ、受信部２のＢＰＦ部２３は各セグメントの選局を行う。選局は、１３個のＳＡＷフィルタの夫々の選局周波数を各セグメントの中心周波数としてＳＡＷフィルタ特性を調整することによって行う。
【００５４】
選局された各セグメントのデータ（ＩＦデータ）はＯＦＤＭ復調部３で復調され、ＴＳデータに変換される。この際、ＣＰＵは移動受信向け（携帯受信向け）のＴＳデータであるか否かの情報を含むＰＩＤデータを取得し（Ｓ１０２）、ＲＡＭに記憶する。
【００５５】
次いで、エラー検出部４はＯＦＤＭ復調部３からの各ＴＳデータのＢＥＲを検出し、ＣＰＵは検出結果を取得し（Ｓ１０３）、ＲＡＭに記憶する。また、ＣＰＵは移動受信向けのＴＳデータを除く各ＴＳデータのＢＥＲを読出し、ＢＥＲが所定値Ａ（例えば１０-3）以上であるセグメントがあるか否かを判定する（Ｓ１０４）。
【００５６】
ＣＰＵはＢＥＲが所定値Ａ以上であるセグメントがないと判定した場合（Ｓ１０４：ＮＯ）、取得したＰＩＤデータに基づき、分離部５へ移動受信向けのＴＳデータと、固定受信向けのＴＳデータとの分離を指示する（Ｓ１０５）。
【００５７】
分離部５にて移動受信向けと、固定受信向けとに分離されたＴＳデータはＤｅＭＵＸ部７ａ，７ｂにてビデオストリム及びオーディオストリムに分離される。この際、ＣＰＵは、ＴＳデータ（ＴＳパケット）に含まれている情報が何かを識別するためのＰＳＩ／ＳＩデータを取得し（Ｓ１０６）、ＲＡＭに記憶する。バッファ部８ａ，８ｂはＤｅＭＵＸ部７ａ，７ｂからのビデオストリム及びオーディオストリムを一時的に保持するが、ＣＰＵは前記ＰＳＩ／ＳＩデータに基づき、ビデオストリム及びオーディオストリムを所定のタイミングで出力させる。
【００５８】
ＣＰＵは切換部１０に固定受信向け放送データへの切換を指示し（Ｓ１０７）、固定受信向け放送データが出力部１１に出力される。
【００５９】
一方、ＣＰＵはＢＥＲが所定値Ａ以上であるセグメントがあると判定した場合（Ｓ１０４：ＹＥＳ）、ＣＰＵはタイマー１２へ計時開始を指示する（Ｓ１０８）。また、ＢＥＲが所定値Ａ以上であるセグメントに係るＲＦデータの利得の調整をＡＧＣ部２４へ指示する（Ｓ１０９）。
【００６０】
ＡＧＣ部２４はＣＰＵの指示に応じて利得の調整を行い、エラー検出部４は再びＯＦＤＭ復調部３からの各ＴＳデータのＢＥＲを検出し、ＣＰＵは検出結果を取得し（Ｓ１１０）、ＲＡＭに記憶する。また、ＣＰＵは移動受信向けのＴＳデータを除く各ＴＳデータのＢＥＲを読出し、ＢＥＲが所定値Ａ以上であるセグメントがあるか否かの判定を再び行う（Ｓ１１１）。
【００６１】
ＣＰＵはＢＥＲが所定値Ａ以上であるセグメントがないと判定した場合（Ｓ１１１：ＮＯ）、Ｓ１０５に進む。一方、ＣＰＵはＢＥＲが所定値Ａ以上であるセグメントがあると判定した場合（Ｓ１１１：ＹＥＳ）、タイマー１２の計時開始からの所定時間ｔ１が経過したか否かを判定する（Ｓ１１２）。
【００６２】
ＣＰＵは所定時間ｔ１が経過していないと判定した場合（Ｓ１１２：ＮＯ）、再びＢＥＲが所定値Ａ以上であるセグメントに係るＲＦデータの利得の調整をＡＧＣ部２４へ指示し（Ｓ１０９）、ＢＥＲの検出結果を取得する（Ｓ１１０）。
【００６３】
Ｓ１０９、Ｓ１１０、Ｓ１１１及びＳ１１２は、所定時間ｔ１の経過まで繰り返される。その内、ＣＰＵが、ＢＥＲが所定値Ａ以上であるセグメントがないと判定した場合（Ｓ１１１：ＮＯ）は、Ｓ１０５に進むが、所定時間ｔ１が経過してもＢＥＲが所定値Ａ以上であるセグメントがあると判定した場合（Ｓ１１１：ＹＥＳ）は、所定時間ｔ１が経過したと判定し（Ｓ１１２：ＹＥＳ）、Ｓ１１３に進む。また、タイマー１２に計時終了を指示する。
【００６４】
ＣＰＵは分離部５へ移動受信向けのＴＳデータと、固定受信向けのＴＳデータとの分離を指示する（Ｓ１１３）。
【００６５】
分離部５にて移動受信向けと、固定受信向けとに分離されたＴＳデータはＤｅＭＵＸ部７ａ，７ｂにてビデオストリム及びオーディオストリムに分離される。この際、ＣＰＵは、ＰＳＩ／ＳＩデータを取得し（Ｓ１１４）、ＲＡＭに記憶する。
【００６６】
次いで、ＣＰＵは切換部１０に移動受信向け放送データへの切換を指示し（Ｓ１１５）、移動受信向け放送データが出力部１１に出力される。
【００６７】
その後、エラー検出部４は１３個のセグメントのＴＳデータのＢＥＲを検出し、ＣＰＵは検出結果を取得し（Ｓ１１６）、ＲＡＭに記憶する。ＣＰＵは移動受信向け放送データに係るセグメントのＢＥＲを読出し、所定値Ａより高い所定値Ｂ以上であるか否かを判定する（Ｓ１１７）。
【００６８】
ＣＰＵは移動受信向け放送データに係るセグメントのＢＥＲが所定値Ｂ未満であると判定した場合（Ｓ１１７：ＮＯ）、タイマー１２へ計時開始を指示する（Ｓ１２１）。次いで、ＣＰＵは計時開始から所定時間ｔ２が経過したか否かを判定する（Ｓ１２２）。所定時間ｔ２が経過したと判定した場合（Ｓ１２２：ＹＥＳ）、Ｓ１１６へ戻る。所定時間ｔ２が経過していないと判定した場合（Ｓ１２２：ＮＯ）、所定時間ｔ２の経過まで待つ。
【００６９】
一方、ＣＰＵは移動受信向け放送データに係るセグメントのＢＥＲが所定値Ｂ以上であると判定した場合（Ｓ１１７：ＹＥＳ）、ＲＡＭから１番から１２番までのセグメントのＢＥＲを読出し、奇数のセグメントの平均ＢＥＲ及び偶数のセグメントの平均ＢＥＲを算出して奇数のセグメントの平均ＢＥＲが偶数のセグメントの平均ＢＥＲより大きいか否かを判定する（Ｓ１１８）。
【００７０】
ＣＰＵは奇数のセグメントの平均ＢＥＲが偶数のセグメントの平均ＢＥＲより大きいと判定した場合（Ｓ１１８：ＹＥＳ）、受信部２に奇数のセグメント側の隣接チャンネルである４チャンネルに係る１３個のセグメントの受信を指示する（Ｓ１１９）。
【００７１】
ＣＰＵは奇数のセグメントの平均ＢＥＲが偶数のセグメントの平均ＢＥＲより大きくないと判定した場合（Ｓ１１８：ＮＯ）、受信部２に偶数のセグメント側の隣接チャンネルである２チャンネルに係る１３個のセグメントの受信を指示する（Ｓ１２０）。
【００７２】
本実施の形態においては、ＣＰＵが１３個のセグメントの受信を指示し、取得したＰＩＤに基づいて分離部５にて固定受信向けＴＳデータ及び移動受信向けＴＳデータに分離を行う場合について説明したが、これに限るものでない。例えば、デジタル音声放送においては、ＣＰＵが受信部２へ４個のセグメントの受信を指示し、ＴＭＣＣ復号及び各種復調部３４からのデータが１セグメント方式であるか３セグメント方式であるかの識別情報を取得し、該識別情報に基づき、１セグメント方式及び３セグメント方式に分離するように構成しても良い。
【図面の簡単な説明】
【００７３】
【図１】本実施の形態に係る携帯用テレビの構成を示すブロック図である。
【図２】受信部の構成を示すブロック図である。
【図３】ＯＦＤＭ復調部の構成を示すブロック図である。
【図４】本実施の形態に係る携帯用テレビが受信する一のチャンネルのセグメント割り当ての一例を示す例示図である。
【図５】本実施の形態に係る携帯用テレビのＣＰＵの制御手順を示すフローチャートである。
【図６】本実施の形態に係る携帯用テレビのＣＰＵの制御手順を示すフローチャートである。
【図７】地上デジタル放送の伝送スペクトラムの一例を示す例示図である。
【符号の説明】
【００７４】
１  アンテナ
２  受信部
６  制御部
４  エラー検出部
１０  切換部
２４  ＡＧＣ部
【図１】
2008067210.tif 000003
【図２】
2008067210.tif 000004
【図３】
2008067210.tif 000005
【図４】
2008067210.tif 000006
【図５】
2008067210.tif 000007
【図６】
2008067210.tif 000008
【図７】
2008067210.tif 000009